(57)【要約】【課題】本発明の実施形態は、電力系統監視制御装置の設計担当の要求仕様からの機器選定の手作業を省くことを可能とする、電力系統監視制御装置を構成するハードウェアの構成設計システム及び構成設計方法を提供することを目的とする。【解決手段】本発明の実施形態は、電力系統監視制御装置を構成する機器情報が保存された機器情報データベース３と、機器情報から、要求仕様と合致する機器を検索する機器情報データベース検索手段２と、機器情報データベース検索手段２の検索結果に基づいて、機器一覧を生成する機器一覧生成手段１と、機器情報データベース検索手段２よって検索された機器の代替機の情報を、インターネット８０を用いて収集する機器情報自動収集手段１３と、代替機の情報に基づいて、機器情報データベース３に保存された機器情報を更新する機器情報更新手段１１とを備えることを特徴とする。【選択図】図１
2012018647.tif 000002
【特許請求の範囲】
【請求項１】
電力系統監視制御装置を構成する機器情報が保存された機器情報データベースと、
前記機器情報データベースに保存された機器情報から、入力された要求仕様と合致する機器を検索する機器情報データベース検索手段と、
前記機器情報データベース検索手段の検索結果に基づいて、機器一覧を生成する機器一覧生成手段と、
前記機器情報データベース検索手段よって検索された機器の代替機の情報を、インターネットを用いて収集する機器情報自動収集手段と、
前記機器情報自動収集手段によって収集された代替機の情報に基づいて、前記機器情報データベースに保存された機器情報を更新する機器情報更新手段とを備え、
前記機器情報データベース検索手段は、前記機器情報更新手段により前記機器情報データベースに保存された機器情報が更新された場合に、前記機器情報データベースを再度検索し、再検索結果を前記機器一覧生成手段に出力し、前記再検索結果を受けた前記機器一覧生成手段は、前記機器一覧を更新することを特徴とする電力系統監視制御装置を構成するハードウェアの構成設計システム。
【請求項２】
電力系統監視制御装置の見積又はハードウェア構成表のテンプレートが保存されたテンプレートデータベースと、
前記機器一覧に保存された機器と、前記テンプレートデータベースに保存されたテンプレートとから、見積又はハードウェア構成表のドキュメントを作成する機器情報自動入力手段とを
備えることを特徴とする請求項１記載の電力系統監視制御装置を構成するハードウェアの構成設計システム。
【請求項３】
電力系統監視制御装置のハードウェア機器を発注する発注システムに対応した発注テンプレートと、前記機器一覧に保存された機器とから、前記発注システムに、前記機器一覧に保存された機器を発注する発注システム自動入力手段を
備えることを特徴とする請求項１又は２記載の電力系統監視制御装置を構成するハードウェアの構成設計システム。
【請求項４】
前記発注システム自動入力手段は、前記発注システムに前記機器一覧に保存された機器を発注した後、発注した機器を記した手配情報を生成することを特徴とする請求項３記載の電力系統監視制御装置を構成するハードウェアの構成設計システム。
【請求項５】
電力系統監視制御装置に関する保守データベースに対応したテンプレートと、前記機器一覧に保存された機器とから、機器情報が入力された保守情報を前記保守データベースに入力する保守情報自動入力手段を備えることを特徴とする請求項１乃至４のいずれか１項に記載の電力系統監視制御装置を構成するハードウェアの構成設計システム。
【請求項６】
前記テンプレートデータベースに保存されたテンプレートは、チェック用フラグを備え、
前記見積又は前記ハードウェア構成表の修正を入力するドキュメント手動入力手段と、
前記ドキュメント手動入力手段に入力された修正箇所に対応する、前記テンプレートデータベースに保存されたテンプレートのチェック用フラグを立て、前記チェック用フラグが立っている箇所について、前記ドキュメント手動入力手段に入力された入力内容と前記機器情報データベースの内容を比較し、差異がある場合は、前記機器情報データベースの内容に更新する入力チェック手段とを
備えることを特徴とする請求項２記載の電力系統監視制御装置を構成するハードウェアの構成設計システム。
【請求項７】
前記機器情報データベースに保存された機器情報は、機器に対応した生産終了フラグ及び代替機情報カラムを備え、
前記機器情報自動収集手段は、電力系統監視制御装置を構成するハードウェア機器の生産が終了したことを示す生産終了情報を受け取ると、インターネットを用いて代替機の情報を収集し、
前記機器情報更新手段は、前記生産終了情報を受けた機器を前記機器情報データベースから検索し、対応する機器の前記生産終了フラグを立て、前記機器情報自動収集手段によって収集された代替機の情報を代替機情報カラムに入力し、
前記機器情報データベース検索部は、前記機器情報データベースに保存された機器情報と入力された前記要求仕様とが合致する機器の前記生産終了フラグが立っている場合は、当該機器の前記代替機情報カラムに入力された代替機を検索結果とする
ことを特徴とする請求項１乃至６のいずれか１項に記載の電力系統監視制御装置を構成するハードウェアの構成設計システム。
【請求項８】
前記機器情報データベースに保存された機器情報には、機器に対応した電力系統の電圧階級を含み、
前記要求仕様は、前記電圧階級を含む
ことを特徴とする請求項１乃至７のいずれか１項に記載の電力系統監視制御装置を構成するハードウェアの構成設計システム。
【請求項９】
電力系統監視制御装置を構成する機器情報が保存された機器情報データベースに保存された機器情報から、入力された要求仕様と合致する機器を検索する機器情報データベース検索ステップと、
前記機器情報データベース検索ステップの検索結果に基づいて、機器一覧を生成する機器一覧生成ステップと、
前記機器情報データベース検索ステップにより検索された機器の代替機の情報を、インターネットを用いて収集する機器情報自動収集ステップと、
前記機器情報自動収集ステップにより収集された代替機の情報に基づいて、前記機器情報データベースを更新する機器情報更新ステップと、
前記機器情報データベース検索ステップは、前記機器情報更新ステップにより前記機器情報データベースに保存された機器情報が更新された場合に、前記機器情報データベースを再度検索し、再検索結果を前記機器一覧生成ステップに出力し、前記再検索結果を受けた前記機器一覧生成ステップは、前記機器一覧を更新することを特徴とする電力系統監視制御装置を構成するハードウェアの構成設計方法。
【発明の詳細な説明】
【技術分野】
【０００１】
本発明に係る実施形態は、電力系統監視制御装置を構成するハードウェアの構成設計システム及び構成設計方法に関する。
【背景技術】
【０００２】
電力系統に設置された電気設備の監視、制御等を行う際に、電力系統監視制御装置を用いられることが多い。この電力系統監視制御装置は、サーバ、ＬＡＮ、モニタ等の数多くのハードウェアから構成されている。
【０００３】
従来の電力系統監視制御装置を構成するハードウェアの構成設計方法について図１６を参照して説明する。図１６は、従来の電力系統監視制御装置を構成するハードウェアの構成設計方法を示す図である。
【０００４】
設計担当７１は、手動機器選定部９１により、客先から提示された要求仕様６１に見合う機器をインターネット８０等により調査し、調査した情報に加えて調達担当７２から入手した価格情報６７を反映させることで選定し、機器一覧６２を作成する。
【０００５】
次に、設計担当７１は、ドキュメント手動入力部５１により、見積６３およびハードウェア構成表６４を作成し、手動機器発注部９２により、発注システム３２を使用して機器の発注を行い、手配情報６５を生成する。また、保守情報手動入力部９３により、保守データベース６６に機器一覧６２の内容を保守情報として入力する。
【先行技術文献】
【特許文献】
【０００６】
【特許文献１】特開２００２−２６９１５６号公報
【発明の概要】
【発明が解決しようとする課題】
【０００７】
図１６に示す従来の電力系統監視制御装置を構成するハードウェアの構成設計方法では、設計担当が要求仕様からの機器選定を手作業で実施しているため、機器選定ミスが発生し、誤った機器選定をしたことにより、電力系統監視制御装置の性能低下や機器故障等の品質低下が発生する可能性があるという課題が有る。
【０００８】
本発明に係る実施形態は、上述する課題を解決するためのものであり、電力系統監視制御装置の設計担当の要求仕様からの機器選定の手作業を省くことを可能とし、電力系統監視制御装置の性能低下や品質低下を抑制する電力系統監視制御装置を構成するハードウェアの構成設計システム及び構成設計方法を提供することを目的とする。
【課題を解決するための手段】
【０００９】
本発明に係る実施形態は、電力系統監視制御装置を構成する機器情報が保存された機器情報データベースと、前記機器情報データベースに保存された機器情報から、入力された要求仕様と合致する機器を検索する機器情報データベース検索手段と、前記機器情報データベース検索手段の検索結果に基づいて、機器一覧を生成する機器一覧生成手段と、前記機器情報データベース検索手段よって検索された機器の代替機の情報を、インターネットを用いて収集する機器情報自動収集手段と、前記機器情報自動収集手段によって収集された代替機の情報に基づいて、前記機器情報データベースに保存された機器情報を更新する機器情報更新手段とを備え、前記機器情報更新手段により前記機器情報データベースに保存された機器情報が更新された場合に、前記機器情報データベース検索手段は、前記機器情報データベースを再度検索し、再検索結果を前記機器一覧生成手段に出力し、前記再検索結果を受けた前記機器一覧生成手段は、前記機器一覧を更新することを特徴とする。
【図面の簡単な説明】
【００１０】
【図１】電力系統監視制御装置を構成するハードウェアの構成設計システムの第１の実施形態を示す構成図。
【図２】電力系統監視制御装置を構成するハードウェアの構成設計システムの第１の実施形態における、機器情報データベース３の例を示す構成図。
【図３】電力系統監視制御装置を構成するハードウェアの構成設計システムの第１の実施形態における、機器一覧生成部１の動作を示すフローチャート図。
【図４】電力系統監視制御装置を構成するハードウェアの構成設計システムの第２の実施形態を示す構成図。
【図５】電力系統監視制御装置を構成するハードウェアの構成設計システムの第２の実施形態における、機器情報自動入力部２１の動作を示すフローチャート図。
【図６】電力系統監視制御装置を構成するハードウェアの構成設計システムの第３の実施形態を示す構成図。
【図７】電力系統監視制御装置を構成するハードウェアの構成設計システムの第３の実施形態における、発注システム自動入力部３１の動作を示すフローチャート図。
【図８】電力系統監視制御装置を構成するハードウェアの構成設計システムの第４の実施形態を示す構成図。
【図９】電力系統監視制御装置を構成するハードウェアの構成設計システムの第４の実施形態における、保守情報自動入力部４１の動作を示すフローチャート図。
【図１０】電力系統監視制御装置を構成するハードウェアの構成設計システムの第５の実施形態を示す構成図。
【図１１】電力系統監視制御装置を構成するハードウェアの構成設計システムの第５の実施形態における、入力チェック部５２の動作を示すフローチャート図。
【図１２】電力系統監視制御装置を構成するハードウェアの構成設計システムの第６の実施形態を示す構成図。
【図１３】電力系統監視制御装置を構成するハードウェアの構成設計システムの第６の実施形態における、機器情報データベース３の例を示す構成図。
【図１４】電力系統監視制御装置を構成するハードウェアの構成設計システムの第６の実施形態における、機器情報自動収集部１３と機器情報解析部１２と機器情報更新部１１による、生産終了情報６８による機器情報データベース３の更新処理の流れを示すフローチャート図。
【図１５】電力系統監視制御装置を構成するハードウェアの構成設計システムの第６の実施形態における、機器一覧生成部１を示すフローチャート図。
【図１６】従来の電力系統監視制御装置を構成するハードウェアの構成設計方法を示す図。
【発明を実施するための形態】
【００１１】
以下、本発明に係る電力系統監視制御装置を構成するハードウェアの構成設計システムの実施形態について、図面を参照して説明する。
【００１２】
（第１の実施形態）
本発明に係る第１の実施形態について、図１乃至図３を参照して説明する。
【００１３】
図１は、本発明に係る第１の実施形態を示す電力系統監視制御装置を構成するハードウェアの構成設計システムの構成図である。
【００１４】
図１において、本発明のハードウェアの構成設計方法を実現するシステムは、機器一覧生成部１と機器情報データベース検索部２と機器情報データベース３と機器情報更新部１１と機器情報検索部１２と機器情報自動収集部１３から構成されている。
【００１５】
機器一覧生成部１は、要求仕様６１を入力とし、要求仕様６１を機器情報データベース検索部２に渡し、機器情報データベース検索部２からの検索結果より、機器一覧６２を生成する。
【００１６】
機器情報データベース検索部２は、機器一覧生成部１から要求仕様６１を受け取り、
要求仕様６１を検索キーとして機器情報データベース３に保存されたレコードを検索し、検索にヒットした機器名称を機器情報自動収集部１３に渡し、代替機の情報で更新された機器情報データベース３を再度検索し、検索結果を機器一覧生成部１に渡す。
【００１７】
機器情報更新部１１は、機器情報解析部１２から最新の機器情報を、調達担当７２から価格情報６７を受け取り、最新の機器情報と価格情報により機器情報データベース３を更新する。また、機器一覧生成部１により生成された機器一覧６２を受け取り、機器情報データベース３に保存されたレコードの内容を更新する。
【００１８】
機器情報解析部１２は、機器情報自動収集部１３からインターネット８０から検索した代替機の機器情報に関するコンテンツを受け取り、機器により異なるコンテンツ形式を解析し、共通の形式に変換したものを機器情報更新部１１に渡す。
【００１９】
機器情報自動収集部１３は、機器情報データベース検索部２から検索結果の機器情報を受け取り、インターネット８０から受け取った機器情報に対応する代替機の情報を検索し、検索結果を機器情報解析部１２に渡す。
【００２０】
要求仕様６１は、電力系統監視制御装置に固有な情報を含むものとし、本実施形態では、例として電力系統の規模をしめす電圧階級を要求仕様６１として以下を説明する。
【００２１】
要求仕様６１から機器一覧６２が自動生成されるまでの動作について説明する。
【００２２】
機器一覧生成部１は、要求仕様６１を受け取り、機器情報データベース検索部２に渡し、機器情報データベース検索部２は、機器情報データベース３に保存された機器情報から要求仕様に合致する機器の一覧を取得し、各機器の情報を機器情報自動収集部１３に渡す。機器情報自動収集部１３は、インターネット８０から代替機の情報を検索し、検索結果を機器情報解析部１２にてコンテンツ形式を変換し、機器情報更新部１１により機器情報データベース３を更新する。
【００２３】
機器情報データベース検索部２は、更新された機器情報データベース３を再度検索し、検索結果を機器一覧生成部１に渡し、機器一覧生成部１は受け取った検索結果から機器一覧６２を生成する。
【００２４】
機器情報データベース３に保存された機器情報は、例えば図２に示す内容になっており、要求仕様６１と照合できる形式になっている。
【００２５】
機器一覧生成部１の詳細について図３を用いて説明する。
【００２６】
機器一覧生成部１は、要求仕様６１を読み込む（Ｓ３０１）。機器情報データベース３に保存された機器情報を順に読み込み（Ｓ３０２）、要求仕様６１（電圧階級）と一致した機器であれば（Ｓ３０３のＹｅｓ）、機器情報自動収集部１３に機器情報を渡し、インターネットから代替機の情報を検索する（Ｓ３０４）。
【００２７】
機器情報自動収集部１３は、インターネットから検索した代替機の情報を機器情報解析部１２経由で機器情報更新部１１に渡し、機器情報更新部１１は機器情報データベース３を代替機の情報で更新する（Ｓ３０５）。
【００２８】
機器情報データベース検索部２は、機器情報データベース３を再度検索し、一致した機器の情報を機器一覧６２に追加する（Ｓ３０６）。全ての要求仕様６１を処理した場合（Ｓ３０７のＹｅｓ）、機器選定処理を終了する。
【００２９】
本実施形態によれば、電力系統監視制御装置に固有の要求である、高信頼性、リアルタイム性を満たすハードウェア機器を自動で選定することができるため、誤った機器選定による電力系統監視制御装置の性能低下や、機器故障等による品質低下を防止することができる。
【００３０】
なお、本実施形態の要求仕様６１は、電力系統の規模を示す電圧階級を用いたが、機器情報データベース３に各機器のスペック（○○サーバＡの記憶容量、△△ＬＡＮ−Ａの伝送速度、等）を示す機器情報を保存しておき、要求仕様６１として、これらのスペックを指定しても良い。また、サーバ等を多重化する際には、多重化数を要求仕様６１としても良い。さらに、上述した要求仕様６１の内、複数を要求仕様とすることも可能である。
【００３１】
また、
（第２の実施形態）
次に、本発明に係る第２の実施形態を、図４、図５を用いて説明する。なお第１の実施形態と同一の構成には同一の符号を付し、重複する説明は省略する。
【００３２】
図４は、本発明に係る第２の実施形態を示す電力系統監視制御装置を構成するハードウェアの構成設計システムの構成図である。図４は、図１に加えて、機器情報自動入力部２１、テンプレートデータベース２２が構成要素として含まれる。
【００３３】
機器情報自動入力部２１は、テンプレートデータベース２２から作成するドキュメントのテンプレートを取得し、機器一覧６２を受け取り、テンプレート内の機器固有情報を示す箇所に機器一覧６２内の機器情報を入力することで、電力系統監視制御装置のハードウェア構成に関するドキュメントを自動生成する。
【００３４】
テンプレートデータベース２２は、過去の電力系統監視制御装置に関するドキュメントをテンプレート化したものを格納しておき、機器情報自動入力部２１に作成するドキュメントに対するテンプレートを渡す。
【００３５】
なお、本発明では、ドキュメントとして見積６３、ハードウェア構成表６４を例として挙げるが、その他のドキュメントについてもテンプレートを用意することで自動生成可能である。
【００３６】
機器一覧６２から見積６３が自動生成されるまでの動作について説明する。
【００３７】
機器情報自動入力部２１は、機器一覧６２を受け取り、テンプレートデータベース２２から見積６３に対応するテンプレートを取得し、機器一覧６２の機器情報をテンプレートに入力することで、見積６３を作成する。
【００３８】
次に、機器一覧６２からハードウェア構成表６４が自動生成されるまでの動作について説明する。
【００３９】
機器情報自動入力部２１は、機器一覧６２を受け取り、テンプレートデータベース２２からハードウェア構成表６４に対応するテンプレートを取得し、機器一覧６２の機器情報をテンプレートに入力することで、ハードウェア構成表６４を作成する。
【００４０】
機器情報自動入力部２１の詳細について図５を用いて説明する。
【００４１】
機器情報自動入力部２１は、テンプレートデータベース２２から作成するドキュメントに対応するテンプレートを読み込む（Ｓ５０１）。機器一覧６２から機器情報を順に読み込み（Ｓ５０２）、テンプレート内の機器固有欄に対応するページを生成し（Ｓ５０３）、読み込んだ機器情報を機器固有欄に埋め込む（Ｓ５０４）。全ての機器情報を処理した場合（Ｓ５０５のＹｅｓ）、テンプレート内の機器に依存しない共通部分を生成し、終了する（Ｓ５０６）。なお、見積作成時の数値計算は、共通部分生成時に行われる。
【００４２】
本実施形態によれば、電力系統監視制御装置に固有の要求である、高信頼性、リアルタイム性を満たすハードウェア機器に対する、見積およびハードウェア構成表等のドキュメントを自動で生成することにより入力漏れや入力ミスがなくなるため、誤った見積を作成することによる電力系統監視制御装置の納期遅れや、誤ったドキュメントを作成することによる電力系統監視制御装置の品質低下を防止することができる。
【００４３】
（第３の実施形態）
次に、本発明に係る第３の実施形態を、図６、図７を用いて説明する。なお第２の実施形態と同一の構成には同一の符号を付し、重複する説明は省略する。
【００４４】
図６は、本発明に係る第３の実施形態を示す電力系統監視制御装置を構成するハードウェアの構成設計方法の構成図である。図６は、図４に加えて、発注システム自動入力部３１が構成要素として含まれる。
【００４５】
発注システム自動入力部３１は、過去の電力系統監視制御装置に関するハードウェア機器の発注情報をテンプレート化したものを持っており、機器一覧６２を読み込み、機器一覧６２内の機器情報をテンプレートに入力したものを発注システム３２に渡すことで、電力系統監視制御装置を構成するハードウェア機器を自動発注し、手配情報６５を生成する。
【００４６】
機器一覧６２から発注システム３２に自動発注するまでの動作について説明する。
【００４７】
発注システム自動入力部３１は、機器一覧６２を受け取り、機器一覧６２の機器情報を発注情報のテンプレートに入力し、機器情報が入力された発注情報を発注システム３２に渡し、発注手続きを行う。これを機器一覧６２の全機器について実施する。
【００４８】
発注システム自動入力部３１の詳細について図７を用いて説明する。
【００４９】
発注システム自動入力部３１は、機器一覧６２から機器情報を順に読み込み（Ｓ７０１）、発注情報のテンプレートに機器情報を入力し（Ｓ７０２）、発注システム３２に入力し、発注処理を実施する（Ｓ７０３）。全ての機器情報を処理した場合（Ｓ７０４のＹｅｓ）、手配情報６５を作成し、終了する（Ｓ７０５）。
【００５０】
本実施形態によれば、電力系統監視制御装置に固有の要求である、高信頼性、リアルタイム性を満たすハードウェア機器に対する発注を自動で行うことにより、手配漏れや手配ミスが発生しなくなるため、誤った機器手配による電力系統監視制御装置の品質低下を防止することができる。
【００５１】
（第４の実施形態）
次に、本発明に係る第４の実施形態を、図８、図９を用いて説明する。なお第３の実施形態と同一の構成には同一の符号を付し、重複する説明は省略する。
【００５２】
図８は、本発明に係る第４の実施形態を示す電力系統監視制御装置を構成するハードウェアの構成設計方法の構成図である。図８は、図６に加えて、保守情報自動入力部４１が構成要素として含まれる。
【００５３】
保守情報自動入力部４１は、過去の電力系統監視制御装置に関する保守データベース６６のデータをテンプレート化したものを持っており、機器一覧６２を読み込み、機器一覧６２内の機器情報をテンプレートに入力したものを保守データベース６６に入力することで、電力系統監視制御装置を構成するハードウェア機器の保守情報を保守データベース６６に自動入力する。
【００５４】
機器一覧６２から保守データベース６６が自動入力される動作について説明する。
【００５５】
保守情報自動入力部４１は、機器一覧６２を受け取り、機器一覧６２の機器情報を保守データベースのテンプレートに入力し、機器情報が入力された保守情報を保守データベース６６に入力する。これを機器一覧６２の全機器について実施する。
【００５６】
保守情報自動入力部４１の詳細について図９を用いて説明する。
【００５７】
保守情報自動入力部４１は、保守データベース６６を初期入力モードでオープンする（Ｓ９０１）。機器一覧６２から機器情報を順に読み込み（Ｓ９０２）、保守情報のテンプレートから保守データベース６６のレコードを生成し（Ｓ９０３）、読み込んだ機器情報をレコードに埋め込む（Ｓ９０４）。全ての機器情報を処理した場合（Ｓ９０５のＹｅｓ）、システム情報を入力し、終了する（Ｓ９０６）。
【００５８】
本実施形態によれば、電力系統監視制御装置に固有の要求である、高信頼性、リアルタイム性を満たすハードウェア機器の保守情報が、保守データベースに自動入力されることにより、入力漏れや入力ミスが発生しなくなるため、保守データベースへの誤った入力を行ったことによる、電力系統監視制御装置の障害復旧の遅れや点検へ支障を来すことを防止することができる。
【００５９】
（第５の実施形態）
次に、本発明に係る第５の実施形態を、図１０、図１１を用いて説明する。なお第４の実施形態と同一の構成には同一の符号を付し、重複する説明は省略する。
【００６０】
図１０は、本発明に係る第５の実施形態を示す電力系統監視制御装置を構成するハードウェアの構成設計方法の構成図である。図１０は、図８に加えて、ドキュメント手動入力部５１と入力チェック部５２が構成要素として含まれる。また、テンプレートデータベース２２に格納されるテンプレートに、チェック用フラグを追加している。
【００６１】
ドキュメント手動入力部５１は、設計担当７１がドキュメントを手動入力した内容を入力チェック部５２に渡す。
【００６２】
入力チェック部５２は、ドキュメント手動入力部５１から設計担当７１が入力した内容を受け取り、テンプレートデータベース２２から入力したドキュメントに対応するテンプレートを取得し、テンプレート内にチェック用フラグを設けることで、チェック用フラグに対応する箇所の入力内容を機器情報データベース３の内容によりチェックし、入力内容が間違っていれば機器情報データベース３の内容に修正する。
【００６３】
見積６３の手動での修正時の動作について説明する。
【００６４】
設計担当７１が、ドキュメント手動入力部５１により見積６３を修正すると、入力チェック部５２は、テンプレートデータベース２２から見積６３のテンプレートを取得し、テンプレート内のチェック用フラグのある箇所について入力内容と機器情報データベース３の内容を比較し、誤りがあれば、機器情報データベース３の内容に更新する。
【００６５】
ハードウェア構成表６４の手動での修正時の動作について説明する。
【００６６】
設計担当７１が、ドキュメント手動入力部５１によりハードウェア構成表６４を修正すると、入力チェック部５２は、テンプレートデータベース２２からハードウェア構成表６４のテンプレートを取得し、テンプレート内のチェック用フラグのある箇所について入力内容と機器情報データベース３の内容を比較し、誤りがあれば、機器情報データベース３の内容に更新する。
【００６７】
入力チェック部５２の詳細について図１１を用いて説明する。
【００６８】
入力チェック部５２は、テンプレートデータベース２２から手動入力したドキュメントのテンプレートを取得する（Ｓ１１０１）。テンプレート内のチェック用フラグを順に検索し（Ｓ１１０２）、チェック用フラグに対応するドキュメントの入力内容を読み込み（Ｓ１１０３）、機器固有情報であれば（Ｓ１１０４のＹｅｓ）、機器情報データベース３のから同一機器の内容を取得し（Ｓ１１０５）、内容が異なっていれば（Ｓ１１０６のＹｅｓ）、機器情報データベース３の内容に修正する（Ｓ１１０７）。全てのチェック用フラグについてチェックおよび修正処理が完了した場合（Ｓ１１０８のＹｅｓ）、ドキュメントを保存し、終了する（Ｓ１１０９）。
【００６９】
本実施形態によれば、電力系統監視制御装置に固有の要求である、高信頼性、リアルタイム性を満たすハードウェア機器の構成を示す、複雑なドキュメントに対する修正を手作業で実施した後、入力内容のチェックおよび誤り訂正が自動で行われことにより、入力漏れや入力ミスが発生しなくなるため、誤った見積を作成することによる電力系統監視制御装置の納期遅れや、誤ったドキュメントを作成することによる電力系統監視制御装置の品質低下や、誤った保守データベースへの入力を行ったことによる電力系統監視制御装置の障害復旧の遅れや点検へ支障を来すことを防止することができる。
【００７０】
（第６の実施形態）
次に、本発明に係る第６の実施形態を、図１２乃至図１５を用いて説明する。なお第５の実施形態と同一の構成には同一の符号を付し、重複する説明は省略する。
【００７１】
図１２は、本発明に係る第６の実施形態を示す電力系統監視制御装置を構成するハードウェアの構成設計方法の構成図である。図１２は、図１０に加えて、機器情報自動収集部１３に生産終了情報６８が入力される点、機器情報データベース３に生産終了フラグおよび代替機情報カラムが追加されている点が異なる。
【００７２】
生産終了情報６８を受け取った後の、機器情報データベース３の自動更新について説明する。
【００７３】
調達担当７２は生産終了情報６８を機器情報自動収集部１３に入力する。機器情報自動収集部１３は、生産終了情報６８に記載の機器について、インターネット８０から代替機の情報を入手し、機器情報解析部１２経由で機器情報更新部１１に渡す。
【００７４】
機器情報更新部１１は生産終了情報６８に記載の機器について機器情報データベース３を検索し、該当するレコードに生産終了フラグを立て、代替機の情報を代替機情報カラムに入力し、代替機の情報を新規レコードとして機器情報データベース３に追加する。
【００７５】
図１３に、サーバ機種である「SSS-YY」が生産終了し、代替機として「TTT-ZZ」が採用された場合の機器情報データベース３の例を示す。図１３では、「SSS-YY」を採用した「○○サーバA」「○○サーバB」の行の生産終了欄に、生産終了したことを示す「○」が入力され、代替機欄に代替機である「TTT-ZZ」が入力されると共に、「TTT-ZZ」を採用した「○○サーバA」「○○サーバB」の行が追加されている。
【００７６】
機器情報自動収集部１３、機器情報解析部１２、機器情報更新部１１による機器情報データベース３の更新処理について、図１４を用いて説明する。
【００７７】
機器情報自動収集部１３は、生産終了情報６８から生産終了品の情報を取得し（Ｓ１４０１）、生産終了品に対応する代替機の情報をインターネット８０から検索し、機器情報解析部１２を経由して機器情報更新部１１に渡す（Ｓ１４０２）。機器情報更新部１１は、機器情報データベース３から生産終了品のレコードを取得し（Ｓ１４０３）、取得したレコードに生産終了フラグおよび代替機情報を入力する（Ｓ１４０４）。機器情報更新部１１は、代替機用のレコードを生成し（Ｓ１４０５）、代替機の情報を入力し、機器情報データベース３の更新処理を終了する（Ｓ１４０６）。
【００７８】
生産終了フラグおよび代替機情報を考慮した機器一覧生成部１の詳細について、図１５を用いて説明する。
【００７９】
機器一覧生成部１は、要求仕様６１から要求定義項目を読み込む（Ｓ１５０１）。
【００８０】
機器情報データベース３のレコードを順に読み込み（Ｓ１５０２）、要求定義項目（電力系統の規模）と一致した機器であれば（Ｓ１５０３のＹｅｓ）、生産終了フラグの有無をチェックし、生産終了フラグがあれば（Ｓ１５０４のＹｅｓ）、代替機の情報を取得し（Ｓ１５０５）、代替機用のレコードを取得し（Ｓ１５０６）。取得したレコードの情報を機器一覧６２に追加する（Ｓ１５０７）。全てのレコードを処理した場合（Ｓ１５０８のＹｅｓ）、機器選定処理を終了する。
【００８１】
本実施形態によれば、過去のシステムの情報を残したまま代替機情報を追加することにより、電力系統監視制御装置に固有の要求である、高信頼性、リアルタイム性を満たすハードウェア機器の構成の、過去の機器選定のノウハウを蓄積しつつ、最新のハードウェア機器に対応した機器一覧を自動生成できるため、ハードウェア機器の性能の進化に追従したハードウェア機器の選定を行うことができ、電力系統監視制御装置を構成するハードウェア機器の数を減らすことで、ハードウェア機器の数が多いことによる電力系統監視制御装置の品質低下や、障害復旧の遅れを防止することができる。
【００８２】
上述した第１乃至６の実施形態によれば、電力系統監視制御装置の設計担当の要求仕様からの機器選定の手作業を省くことを可能とし、電力系統監視制御装置の性能低下や品質低下を抑制する電力系統監視制御装置を構成するハードウェアの構成設計システム及び構成設計方法を提供することが可能である。
【００８３】
以上、本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれると共に、特許請求の範囲に記載された発明とその均等の範囲に含まれる。
【符号の説明】
【００８４】
１…機器一覧生成部
２…機器情報データベース検索部
３…機器情報データベース
１１…機器情報更新部
１２…機器情報解析部
１３…機器情報自動収集部
２１…機器情報自動入力部
２２…テンプレートデータベース
３１…発注システム自動入力部
３２…発注システム
４１…保守情報自動入力部
５１…ドキュメント手動入力部
５２…入力チェック部
６１…要求仕様
６２…機器一覧
６３…見積
６４…ハードウェア構成表
６５…手配情報
６６…保守データベース
６７…価格情報
６８…生産終了情報
７１…設計担当
７２…調達担当
８０…インターネット
９１…手動機器選定部
９２…手動機器発注部
９３…保守情報手動入力部
【図１】
2012018647.tif 000003
【図２】
2012018647.tif 000004
【図３】
2012018647.tif 000005
【図４】
2012018647.tif 000006
【図５】
2012018647.tif 000007
【図６】
2012018647.tif 000008
【図７】
2012018647.tif 000009
【図８】
2012018647.tif 000010
【図９】
2012018647.tif 000011
【図１０】
2012018647.tif 000012
【図１１】
2012018647.tif 000013
【図１２】
2012018647.tif 000014
【図１３】
2012018647.tif 000015
【図１４】
2012018647.tif 000016
【図１５】
2012018647.tif 000017
【図１６】
2012018647.tif 000018